(57)【要約】【課題】導電部に手が接触する可能性を高くすることができるイオン歯ブラシを提供する。【解決手段】本発明に係るイオン歯ブラシ１００は、使用者が把持する把持部１０と、把持部１０から所定の方向に延出している導電性の支軸部３０と、支軸部３０によって支持され、ブラシ毛が設けられたヘッド部４０と、を含み、支軸部３０は、把持部１０に収容される電池の一方の電極と電気的に接続され、把持部１０は、電池の他方の電極と電気的に接続された第１導電部１２０を有し、第１導電部１２０は、把持部１０の外表面１２を構成し、第１導電部１２０の所定の方向の長さＬ１と、把持部１０の所定の方向の長さＬ２と、の比（Ｌ１／Ｌ２）は、０．５以上である。【選択図】図３
2019013405.tif 000002
【特許請求の範囲】
【請求項１】
使用者が把持する把持部と、
前記把持部から所定の方向に延出している導電性の支軸部と、
前記支軸部によって支持され、ブラシ毛が設けられたヘッド部と、
を含み、
前記支軸部は、前記把持部に収容される電池の一方の電極と電気的に接続され、
前記把持部は、前記電池の他方の電極と電気的に接続された第１導電部を有し、
前記第１導電部は、前記把持部の外表面を構成し、
前記第１導電部の前記所定の方向の長さＬ１と、前記把持部の前記所定の方向の長さＬ２と、の比（Ｌ１／Ｌ２）は、０．５以上である、イオン歯ブラシ。
【請求項２】
請求項１において、
前記第１導電部は、前記把持部の前記ブラシ毛が設けられた側とは反対側の外表面を構成している、イオン歯ブラシ。
【請求項３】
請求項１または２において、
前記比（Ｌ１／Ｌ２）は、０．７以上である、イオン歯ブラシ。
【請求項４】
請求項１ないし３のいずれか１項において、
前記比（Ｌ１／Ｌ２）は、０．８以上である、イオン歯ブラシ。
【請求項５】
請求項１ないし４のいずれか１項において、
前記長さＬ１と、前記イオン歯ブラシの前記所定の方向の長さＬ３と、の比（Ｌ１／Ｌ３）は、０．５以上である、イオン歯ブラシ。
【請求項６】
請求項１ないし５のいずれか１項において、
前記第１導電部の材質は、導電性樹脂である、イオン歯ブラシ。
【請求項７】
請求項１ないし６のいずれか１項において、
前記第１導電部の材質は、炭素が添加されたＡＢＳ樹脂である、イオン歯ブラシ。
【請求項８】
請求項１ないし７のいずれか１項において、
前記把持部は、前記支軸部を固定している本体部を有し、
前記本体部には、
凹部と、
前記凹部の底面に設けられた第１貫通孔と、
が設けられ、
前記第１導電部は、
前記凹部に嵌め合わされた基部と、
前記基部から突出し、前記第１貫通孔を通って設けられた突出部と、
を有する、イオン歯ブラシ。
【請求項９】
請求項８において、
前記把持部に収容され、前記電池が設けられた基板を含み、
前記突出部は、複数設けられ、
前記基板には、前記他方の電極と電気的に接続され、前記突出部と接触している導電部材が設けられている、イオン歯ブラシ。
【請求項１０】
請求項９において、
前記導電部材は、ねじであり、
前記基板には、第２貫通孔が設けられ、
前記突出部の先端には、ねじ穴が設けられ、
前記導電部材は、前記第２貫通孔を通って、前記ねじ穴に挿入されている、イオン歯ブラシ。
【請求項１１】
請求項８ないし１０のいずれか１項において、
前記把持部は、前記本体部の前記基部が嵌め合わされている側とは反対側に固定されたカバー部を有し、
前記カバー部は、前記他方の電極と電気的に接続された第２導電部を有し、
前記第２導電部は、前記カバー部の外表面を構成している、イオン歯ブラシ。
【請求項１２】
請求項１１において、
前記所定の方向および前記突出部の突出方向と直交する方向からみて、
前記第２導電部の前記所定の方向の長さは、前記カバー部の前記所定の方向の長さと同じである、イオン歯ブラシ。
【請求項１３】
請求項１１または１２において、
前記第２導電部の材質は、導電性樹脂である、イオン歯ブラシ。
【発明の詳細な説明】
【技術分野】
【０００１】
本発明は、イオン歯ブラシに関する。
【背景技術】
【０００２】
従来から、歯ブラシの把持部に電池を内蔵し、この把持部を把持する使用者の手を介して歯とブラシ毛との間に電流を流し、ブラッシング効果を向上させたイオン歯ブラシや電子歯ブラシ（以下、これらを総称して「イオン歯ブラシ」という）が提案されている。
【０００３】
例えば特許文献１には、把持部の外表面に導電部材が設けられ、使用者が導電部材に手を触れながら把持部を把持することにより、歯およびブラシ毛に電流を流すことが記載されている。
【先行技術文献】
【特許文献】
【０００４】
【特許文献１】特開２０１４−６４７６０号公報
【発明の概要】
【発明が解決しようとする課題】
【０００５】
しかしながら、上記のようなイオン歯ブラシにおいて、導電部に手が接触しないような持ち方で歯ブラシを使用する使用者がおり、歯およびブラシ毛に電流が流れない場合がある。そのため、ブラッシング効果を向上させることができない場合がある。特に使用者が子供の場合は、導電部に手を接触させてイオン歯ブラシを把持させることが難しい場合がある。
【０００６】
本発明のいくつかの態様に係る目的の１つは、導電部に手が接触する可能性を高くすることができるイオン歯ブラシを提供することにある。
【課題を解決するための手段】
【０００７】
本発明は上述の課題の少なくとも一部を解決するためになされたものであり、以下の態様または適用例として実現することができる。
【０００８】
［適用例１］
本発明に係るイオン歯ブラシの一態様は、
使用者が把持する把持部と、
前記把持部から所定の方向に延出している導電性の支軸部と、
前記支軸部によって支持され、ブラシ毛が設けられたヘッド部と、
を含み、
前記支軸部は、前記把持部に収容される電池の一方の電極と電気的に接続され、
前記把持部は、前記電池の他方の電極と電気的に接続された導電部を有し、
前記導電部は、前記把持部の外表面を構成し、
前記導電部の前記所定の方向の長さＬ１と、前記把持部の前記所定の方向の長さＬ２と、の比（Ｌ１／Ｌ２）は、０．５以上である。
【０００９】
なお、本発明に係る記載では、「電気的に接続」という文言を、例えば、「特定の部材（以下「Ａ部材」という）に「電気的に接続」された他の特定の部材（以下「Ｂ部材」という）」などと用いている。本発明に係る記載では、この例のような場合に、Ａ部材とＢ部材とが、直接接して電気的に接続されているような場合と、Ａ部材とＢ部材とが、他の
部材を介して電気的に接続されているような場合とが含まれるものとして、「電気的に接続」という文言を用いている。
【００１０】
［適用例２］
適用例１において、
前記導電部は、前記把持部の前記ブラシ毛が設けられた側とは反対側の外表面を構成していてもよい。
【００１１】
［適用例３］
適用例１または２において、
前記比（Ｌ１／Ｌ２）は、０．７以上であってもよい。
【００１２】
［適用例４］
適用例１ないし３のいずれか１例において、
前記比（Ｌ１／Ｌ２）は、０．８以上であってもよい。
【００１３】
［適用例５］
適用例１ないし４のいずれか１例において、
前記長さＬ１と、前記イオン歯ブラシの前記所定の方向の長さＬ３と、の比（Ｌ１／Ｌ３）は、０．５以上であってもよい。
【００１４】
［適用例６］
適用例１ないし５のいずれか１例において、
前記導電部の材質は、導電性樹脂であってもよい。
【００１５】
［適用例７］
適用例１ないし６のいずれか１例において、
前記導電部の材質は、炭素が添加されたＡＢＳ樹脂であってもよい。
【００１６】
［適用例８］
適用例１ないし７のいずれか１例において、
前記把持部は、前記支軸部を固定している本体部を有し、
前記本体部には、
凹部と、
前記凹部の底面に設けられた第１貫通孔と、
が設けられ、
前記導電部は、
前記凹部に嵌め合わされた基部と、
前記基部から突出し、前記第１貫通孔を通って設けられた突出部と、
を有してもよい。
【００１７】
［適用例９］
適用例８において、
前記把持部に収容され、前記電池が設けられた基板を含み、
前記突出部は、複数設けられ、
前記基板には、前記他方の電極と電気的に接続され、前記突出部と接触している導電部材が設けられていてもよい。
【００１８】
［適用例１０］
適用例９において、
前記導電部材は、ねじであり、
前記基板には、第２貫通孔が設けられ、
前記突出部の先端には、ねじ穴が設けられ、
前記導電部材は、前記第２貫通孔を通って、前記ねじ穴に挿入されていてもよい。
【００１９】
［適用例１１］
適用例８ないし１０のいずれか１例において、
前記把持部は、前記本体部の前記基部が嵌め合わされている側とは反対側に固定されたカバー部を有し、
前記カバー部は、前記他方の電極と電気的に接続された第２導電部を有し、
前記第２導電部は、前記カバー部の外表面を構成していてもよい。
【００２０】
［適用例１２］
適用例１１において、
前記所定の方向および前記突出部の突出方向と直交する方向からみて、
前記第２導電部の前記所定の方向の長さは、前記カバー部の前記所定の方向の長さと同じであってもよい。
【００２１】
［適用例１３］
適用例１１また１２において、
前記第２導電部の材質は、導電性樹脂であってもよい。
【発明の効果】
【００２２】
本発明に係るイオン歯ブラシでは、支軸部は、把持部に収容される電池の一方の電極と電気的に接続され、把持部は、電池の他方の電極と電気的に接続された導電部を有し、導電部は、把持部の外表面を構成し、導電部の所定の方向（支軸部の延出方向）の長さと、把持部の所定の方向の長さＬ２と、の比（Ｌ１／Ｌ２）は、０．５以上である。そのため、本発明に係るイオン歯ブラシでは、比（Ｌ１／Ｌ２）が０．５未満の場合に比べて、把持部の所定の方向において使用者がどこを把持しても、高い確率で使用者の手を導電部に接触させることができる。すなわち、本発明に係るイオン歯ブラシでは、例えば使用者が意図的に導電部に手を接触させようとしなくても、把持部を把持すれば、高い確率で使用者の手は導電部に接触する。このように、本発明に係るイオン歯ブラシでは、使用者が把持部を把持する際に、導電部に手が接触する可能性を高くすることができる。
【図面の簡単な説明】
【００２３】
【図１】本実施形態に係るイオン歯ブラシを模式的に示す正面図。
【図２】本実施形態に係るイオン歯ブラシを模式的に示す側面図。
【図３】本実施形態に係るイオン歯ブラシを模式的に示す背面図。
【図４】本実施形態に係るイオン歯ブラシを模式的に示す分解斜視図。
【図５】本実施形態に係るイオン歯ブラシを模式的に示す分解斜視図。
【図６】本実施形態に係るイオン歯ブラシを模式的に示す分解斜視図。
【図７】本実施形態に係るイオン歯ブラシの電池を模式的に示す側面図。
【図８】本実施形態の変形例に係るイオン歯ブラシを模式的に示す正面図。
【図９】本実施形態の変形例に係るイオン歯ブラシを模式的に示す側面図。
【図１０】本実施形態の変形例に係るイオン歯ブラシを模式的に示す分解斜視図。
【図１１】本実施形態の変形例に係るイオン歯ブラシを模式的に示す分解斜視図。
【図１２】本実施形態の変形例に係るイオン歯ブラシのカバー部を模式的に示す正面図であって、第２導電部を形成する前の図。
【図１３】本実施形態の変形例に係るイオン歯ブラシのカバー部を模式的に示す断面斜視図。
【発明を実施するための形態】
【００２４】
以下、本発明の好適な実施形態について、図面を用いて詳細に説明する。なお、以下に説明する実施形態は、特許請求の範囲に記載された本発明の内容を不当に限定するものではない。また、以下で説明される構成の全てが本発明の必須構成要件であるとは限らない。
【００２５】
１．  イオン歯ブラシ
図１は、本実施形態に係るイオン歯ブラシ１００を模式的に示す正面図である。図２は、本実施形態に係るイオン歯ブラシ１００を模式的に示す側面図である。図３は、本実施形態に係るイオン歯ブラシ１００を模式的に示す背面図である。図４〜図６は、本実施形態に係るイオン歯ブラシ１００を模式的に示す分解斜視図である。なお、図１〜図６では、互いに直交する３つの軸として、Ｘ軸、Ｙ軸、およびＺ軸を図示している。
【００２６】
イオン歯ブラシ１００は、図１〜図６に示すように、例えば、把持部１０と、基板２０と、支軸部３０と、ヘッド部４０と、を含む。イオン歯ブラシ１００は、ヘッド部４０が着脱可能に（把持部１０から分離可能に）構成されている。図１〜図３では、ヘッド部４０が取り付けられた状態を示している。図４〜図６では、ヘッド部４０が取り外された状態を示している。
【００２７】
把持部１０は、使用者が把持する部分である。把持部１０の形状は、使用者が把持することができれば特に限定されないが、図示の例では、Ｙ軸方向に延出した形状である。すなわち、把持部１０のＹ軸方向の長さは、把持部１０のＸ軸方向の長さおよびＺ軸方向の長さよりも大きい。把持部１０の厚さ（Ｚ軸方向の長さ）は、図２に示すように、ヘッド部４０のブラシ部４２およびシャンク部４３の厚さよりも大きい。
【００２８】
把持部１０は、図５および図６に示すように、例えば、本体部１１０と、第１導電部１２０と、カバー部１３０と、を有している。
【００２９】
本体部１１０は、支軸部３０を固定している。本体部１１０は、図４および図５に示すように、支軸部３０を本体部１１０に固定する固定部１１１を有している。支軸部３０は、固定部１１１を貫通して（通って）本体部１１０に固定されている。本体部１１０の材質は、例えば、ＡＢＳ（ａｃｒｙｌｏｎｉｔｒｉｌｅ  ｂｕｔａｄｉｅｎｅ  ｓｔｙｒｅｎｅ  ｃｏｐｏｌｙｍａｅｒ）樹脂である。
【００３０】
本体部１１０には、凹部１１２が設けられている。図示の例では、凹部１１２は、本体部１１０の＋Ｚ軸方向側の面に設けられている。Ｚ軸方向からみて、凹部１１２は、本体部１１０の外縁に沿って設けられている。
【００３１】
本体部１１０には、基板２０が載置されている載置部１１３を有している。載置部１１３は、例えば、複数設けられている。載置部１１３は、基板２０を載置することができれば、その形状および数は特に限定されない。
【００３２】
本体部１１０の第１導電部１２０が設けられる側（−Ｚ軸方向側）には、図６に示すように、凹部１１４が設けられている。凹部１１４は、第１導電部１２０の基部１２２と嵌め合わされる（嵌合する）形状を有している。
【００３３】
本体部１１０には、複数の第１貫通孔１１５が設けられている。第１貫通孔１１５は、凹部１１４の底面（凹部１１４を規定する本体部１１０の面）１１４ａに設けられている。第１貫通孔１１５は、本体部１１０をＺ軸方向に貫通している。図示の例では、第１貫
通孔１１５は、２つ設けられ、２つの第１貫通孔１１５は、Ｙ軸方向に配列されている。
【００３４】
本体部１１０のヘッド部４０と接続される側（図示の例では＋Ｙ軸方向側の端部）には、第１係合部５０が設けられている。第１係合部５０は、図１に示すように、ヘッド部４０の第２係合部４７と係合可能である。第１係合部５０は、第２係合部４７と係合することができれば、その形状は特に限定されない。把持部１０の厚さは、第１係合部５０の厚さよりも大きい。
【００３５】
第１導電部１２０は、図３に示すように、把持部１０の外表面１２を構成している。具体的には、第１導電部１２０は、把持部１０のブラシ毛４１が設けられた側とは反対側の外表面１２を構成している。第１導電部１２０は、外表面１２の一部を構成している。外表面１２は、例えば、図３に示すように、把持部１０を−Ｚ軸方向側からみたときに、把持部１０の視認される面である。外表面１２は、例えば、把持部１０の外部に露出した面である。外表面１２は、第１導電部１２０からなる面１２０ａと、本体部１１０からなる面１１０ａと、を含んで構成されている。Ｚ軸方向からみて、面１１０ａは、面１２０ａを囲んで設けられている。面１１０ａと面１２０ａとは、例えば、面一である。
【００３６】
第１導電部１２０の形状は、Ｙ軸方向に延出した形状である。すなわち、第１導電部１２０のＹ軸方向の長さは、第１導電部１２０のＸ軸方向の長さおよびＺ軸方向の長さよりも大きい。
【００３７】
第１導電部１２０のＹ軸方向の長さＬ１と、把持部１０のＹ軸方向の長さＬ２と、の比（Ｌ１／Ｌ２）は、０．５以上であり、好ましくは０．７以上であり、より好ましくは０．８以上であり、さらにより好ましくは０．８５以上である。比（Ｌ１／Ｌ２）は、１以下である。すなわち、長さＬ１と長さＬ２とは、同じであってもよい。比（Ｌ１／Ｌ２）は、長さＬ２に対する長さＬ１の比である。長さＬ１と、イオン歯ブラシ１００のＹ軸方向の長さＬ３と、の比（Ｌ１／Ｌ３）は、０．５以上である。比（Ｌ１／Ｌ３）は、長さＬ３に対する長さＬ１の比である。長さＬ１は、面１２０ａのＹ軸方向の長さである。
【００３８】
なお、本実施形態において、「Ａ部材（例えば第１導電部）のＹ軸方向の長さ」とは、Ｚ軸方向からみて、Ａ部材の最も＋Ｙ軸方向側に位置する端と、Ａ部材の最も−Ｙ軸方向側に位置する端と、の間の距離のことである。
【００３９】
第１導電部１２０のＹ軸方向の長さＬ１は、例えば、６５ｍｍ以上１１５ｍｍ以下であり、好ましくは７５ｍｍ以上９５ｍｍ以下である。把持部１０のＹ軸方向の長さＬ２は、例えば、８０ｍｍ以上１２０ｍｍ以下であり、好ましくは９０ｍｍ以上１１０ｍｍ以下である。イオン歯ブラシ１００のＹ軸方向の長さＬ３は、例えば、１４０ｍｍ以上２１０ｍｍ以下であり、好ましくは１６０ｍｍ以上１９０ｍｍ以下である。
【００４０】
第１導電部１２０は、図５に示すように、例えば、基部１２２と、基部１２２からカバー部１３０側へ（＋Ｚ軸方向側へ）突出した突出部１２４と、を有している。
【００４１】
基部１２２は、本体部１１０の−Ｚ軸方向側に位置している。基部１２２の形状は、例えば、略平板状である。基部１２２は、図３および図６に示すように、凹部１１４に嵌め合わされて設けられている。基部１２２は、面１２０ａを有している。
【００４２】
突出部１２４は、第１貫通孔１１５に対応して複数設けられている。図５に示す例では、突出部１２４は、２つ設けられている。突出部１２４は、第１貫通孔１１５を通って設けられている。突出部１２４の先端（＋Ｚ軸方向側の先端）には、ねじ穴１２６が設けられている。突出部１２４が第１貫通孔１１５を通り、導電部材２２がねじ穴１２６に挿入
されることにより、第１導電部１２０は、本体部１１０に固定される。
【００４３】
第１導電部１２０の材質は、例えば、導電性樹脂である。具体的には、第１導電部１２０の材質は、炭素が添加されたＡＢＳ樹脂である。ＡＢＳに添加される炭素は、導電性フィラーであり、例えば、カーボンブラック、黒鉛、天然グラファイト、人造グラファイトなどである。
【００４４】
なお、導電性フィラーは、炭素に限定されず、例えば、酸化スズ、酸化チタン、酸化亜鉛、ニッケル、銅などであってもよい。また、導電性フィラーが添加される樹脂は、ＡＢＳ樹脂に限定されず、例えば、ポリエーテル、ポリエステル、ポリアミド、ポリイミド、ポリエチレングリコール、ポリエチレンオキシド、ポリアクリレート、ポリメタクリレートなどであってもよい。
【００４５】
カバー部１３０は、本体部１１０の＋Ｚ軸方向側に位置している。カバー部１３０は、基板２０を覆って設けられている。カバー部１３０は、図６に示すように、凸部１３２を有している。図示の例では、凸部１３２は、カバー部１３０の−Ｚ軸方向側の面に設けられている。Ｚ軸方向側からみて、凸部１３２は、カバー部１３０の外縁に沿って設けられている。カバー部１３０の材質は、例えば、ＡＢＳ樹脂である。
【００４６】
カバー部１３０は、例えば、超音波溶着によって、本体部１１０に固定されている。具体的には、カバー部１３０の凸部１３２を、本体部１１０に設けられた凹部１１２に挿入させた状態で、超音波振動を与えつつ圧力を加える。これにより、凸部１３２および凹部１１２が互いに溶着し、カバー部１３０を本体部１１０に固定することができる。超音波溶着における超音波振動の周波数および圧力は、凸部１３２の大きさ、形状、および材質に合わせて、適宜設定することができる。カバー部１３０および本体部１１０の材質がＡＢＳ樹脂の場合、超音波溶着における周波数は、例えば、１５ｋＨｚ以上２５ｋＨｚ以下であり、好ましくは１８ｋＨｚ以上２０ｋＨｚ以下である。カバー部１３０および本体部１１０の材質がＡＢＳ樹脂の場合、超音波溶着における圧力は、例えば、０．４ＭＰａ以上０．６ＭＰａ以下である。
【００４７】
カバー部１３０は、図２に示すように、厚さ（Ｚ軸方向の大きさ）が大きい厚肉部１３０ａと、厚肉部１３０ａよりもヘッド部４０側に（＋Ｙ軸方向側に）位置し厚肉部１３０ａよりも小さい厚さを有する薄肉部１３０ｂと、を有している。これにより、使用者は、母指球を厚肉部１３０ａに当て、親指を薄肉部１３０ｂに当てて、把持部１０を把持することができる。したがって、使用者は、仮に握力が弱くても、イオン歯ブラシ１００を使用中に落とさないように把持部１０を把持することができる。
【００４８】
カバー部１３０には、図４〜図６に示すように、例えば、スイッチ部１３４および光透過部１３６が設けられている。具体的には、スイッチ部１３４および光透過部１３６は、カバー部１３０に設けられた開口部に設けられている。
【００４９】
スイッチ部１３４は、−Ｚ軸方向側に変位可能に構成されている。スイッチ部１３４は、例えば、タクタイルスイッチである。スイッチ部１３４の材質は、例えば、ポリウレタンである。
【００５０】
光透過部１３６は、Ｚ軸方向からみて、発光部２７と重なる位置に設けられている。光透過部１３６は、発光部２７から射出された光を透過することができる。光透過部１３６の材質は、例えば、ポリウレタンである。
【００５１】
基板２０は、図４および図５に示すように、把持部１０に収容されている。基板２０は
、本体部１１０に設けられた載置部１１３に載置されている。基板２０の材質は、例えば、樹脂である。
【００５２】
基板２０には、図５に示すように、第２貫通孔２１が設けられている。第２貫通孔２１は、基板２０をＺ軸方向に貫通している。第２貫通孔２１は、突出部１２４に対応して複数設けられている。図示の例では、第２貫通孔２１は、２つ設けられている。
【００５３】
基板２０は、導電部材２２が設けられている。基板２０は、第１導電部１２０の突出部１２４と接触している導電部材２２によって、把持部１０に固定されている。図示の例では、導電部材２２は、ねじである。導電部材２２の頭部２２ａは、基板２０に当接され、導電部材２２は、第２貫通孔２１を通って、突出部１２４に設けられたねじ穴１２６に挿入されている。これにより、導電部材２２は、基板２０を把持部１０に固定させることができる。導電部材２２の材質は、例えば、金属である。
【００５４】
基板２０には、電池２３が設けられている。電池２３は、把持部１０に収容されている。ここで、図７は、電池２３を模式的に示す側面図である。図７では、互いに直交する３つの軸として、Ｘ軸、Ｙ軸、およびＺ軸を図示している。電池２３は、図７に示すように、例えば、略円盤状のリチウム電池である。電池２３は、第１電極（一方の電極）２３ａと、第２電極（他方の電極）２３ｂと、を有している。
【００５５】
第１電極２３ａは、第２電極２３ｂよりも−Ｚ軸方向側に位置している。電池２３は、例えば、第１電極２３ａを基板２０に向けて、基板２０に搭載されている。第１電極２３ａは、例えば、負極である。第１電極２３ａは、基板２０に設けられた配線（図示せず）を介して、基板２０に設けられた導電板２４と接触している。導電板２４は、図４に示すように、基板２０の＋Ｙ軸方向側の外縁を跨いで設けられている。導電板２４は、一方の端部が基板２０に固定され、他方の端部が支軸部３０（支軸部３０のうちの把持部１０に収容されている被収容部３２）と接触している。したがって、支軸部３０は、第１電極２３ａと電気的に接続されている。導電板２４の材質は、例えば、金属である。
【００５６】
第２電極２３ｂは、例えば、正極である。第２電極２３ｂは、基板２０に設けられた電池カバー部２５と接触している。電池カバー部２５は、電池２３を覆って設けられている。電池カバー部２５は、基板２０に設けられた配線（図示せず）を介して、複数の導電部材２２と電気的に接続している。したがって、導電部材２２は、第２電極２３ｂと電気的に接続されている。さらに、導電部材２２と接触している第１導電部１２０は、第２電極２３ｂと電気的に接続されている。なお、電池カバー部２５は、電池２３を取り外し可能に構成されていてもよい。
【００５７】
基板２０には、ボタン２６が設けられている。図示の例では、ボタン２６は、電池２３の−Ｙ軸方向側に設けられている。ボタン２６は、スイッチ部１３４の−Ｚ軸方向側に設けられている。
【００５８】
基板２０には、発光部２７が設けられている。図示の例では、発光部２７は、電池２３の＋Ｙ軸方向側に設けられている。発光部２７は、ボタン２６が押されることによって、基板２０に設けられた配線（図示せず）を介して電池２３の電極２３ａ，２３ｂと電気的に接続される。発光部２７は、例えば、ＬＥＤ（Ｌｉｇｈｔ  Ｅｍｉｔｔｉｎｇ  Ｄｉｏｄｅ）である。
【００５９】
イオン歯ブラシ１００では、使用者によって、スイッチ部１３４が−Ｚ軸方向側に押し込まれると、−Ｚ軸方向側に変位可能し、ボタン２６が押される。ボタン２６が押されると、電池２３の電極２３ａ，２３ｂと発光部２７とが電気的に接続されて、発光部２７が
点灯する。発光部２７から射出された光は、光透過部１３６を透過してイオン歯ブラシ１００の外部に照射される。一方、電池２３が消耗し、所定の電圧を有していない場合には、スイッチ部１３４を押しても発光部２７は点灯しない。したがって、使用者は、光透過部１３６を透過した光をイオン歯ブラシ１００の外部において視認することにより、電池２３の電圧の検査を行うことができる。
【００６０】
支軸部３０は、把持部１０からＹ軸方向に（所定の方向に）延出している。具体的には、支軸部３０は、図１に示すように、把持部１０の本体部１１０の＋Ｙ軸方向側の端部から、ヘッド部４０を把持部１０に装着した際のブラシ部４２近傍まで、Ｙ軸方向に延出している。支軸部３０は、例えば、棒状の形状である。支軸部３０は、導電性を有している。支軸部３０の材質は、例えば、ステンレス鋼である。
【００６１】
支軸部３０は、図４および図５に示すように、把持部１０に収容されている被収容部３２を有している。被収容部３２は、本体部１１０の＋Ｙ軸方向側の端部から、Ｚ軸方向からみて導電板２４と重なる位置まで延出し、導電板２４と接触している。
【００６２】
ヘッド部４０は、図１に示すように、支軸部３０によって支持されている。ヘッド部４０は、例えば、ブラシ毛４１が設けられた（植毛された）ブラシ部４２と、ブラシ部４２から一体的にくびれて延出しているシャンク部４３と、を有している。
【００６３】
ヘッド部４０の、ブラシ毛４１が植毛されている外表面４４であって、ブラシ部４２近傍の位置には、支軸部３０の一部を露出する開口部４５が設けられている。ヘッド部４０の材質は、例えば、ＡＢＳ樹脂、ＰＰ（ｐｏｌｙｐｒｏｐｙｌｅｎｅ）樹脂などである。把持部１０の外表面１２は、外表面４４と反対側の面である。
【００６４】
シャンク部４３には、支軸部３０が挿入される支軸部挿入穴４６が形成されている。支軸部挿入穴４６は、開口部４５と連通している。シャンク部４３の把持部１０と接続される側（−Ｙ軸方向側）には、本体部１１０に設けられた第１係合部５０と係合する第２係合部４７が設けられている。第２係合部４７は、第１係合部５０と係合することができれば、その形状は特に限定されない。
【００６５】
イオン歯ブラシ１００では、第１導電部１２０に手を触れながら把持部１０を把持し、ブラシ毛４１によって歯をブラッシングすると、ブラシ毛４１は、唾液等の液体によって濡れ、開口部４５を含む液体の連なった経路を介して支軸部３０と電気的に導通可能な状態となる。すなわち、開口部４５は、液体を媒体として、ブラシ毛４１と支軸部３０とを電気的に導通可能にするための開口部である。これにより、電流は、電池２３から使用者の手、体、歯、ブラシ毛４１、開口部４５を含む液路、支軸部３０、電池２３という経路で流れ、電位傾斜によって歯垢除去効果等のブラッシング効果を高めることができる。
【００６６】
イオン歯ブラシ１００の組立方法としては、まず、図６に示すように、本体部１１０に設けられた凹部１１４に第１導電部１２０の基部１２２を嵌め合わせ、かつ、本体部１１０に設けられた第１貫通孔１１５に第１導電部１２０の突出部１２４を通して、本体部１１０に第１導電部１２０を接続させる。次に、図４に示すように、基板２０を本体部１１０の載置部１１３に載置させる。次に、ねじである導電部材２２をねじ穴１２６に挿入して、基板２０を本体部１１０に固定させ、かつ、第１導電部１２０を本体部１１０に固定させる。次に、例えば、超音波溶着により、本体部１１０にカバー部１３０を固定させる。以上の方法により、イオン歯ブラシ１００を組立てることができる。なお、イオン歯ブラシ１００の組立方法は、上記の方法に限定されない。
【００６７】
イオン歯ブラシ１００は、例えば、以下の特徴を有する。
【００６８】
イオン歯ブラシ１００では、支軸部３０は、把持部１０に収容される電池２３の第１電極２３ａと電気的に接続され、把持部１０は、電池２３の第２電極２３ｂと電気的に接続された第１導電部１２０を有し、第１導電部１２０は、把持部１０の外表面１２を構成し、第１導電部１２０のＹ軸方向の長さＬ１と、把持部１０のＹ軸方向の長さＬ２と、の比（Ｌ１／Ｌ２）は、０．５以上である。そのため、イオン歯ブラシ１００では、比（Ｌ１／Ｌ２）が０．５未満の場合に比べて、把持部１０のＹ軸方向において使用者がどこを把持しても、高い確率で使用者の手を第１導電部１２０に接触させることができる。すなわち、イオン歯ブラシ１００では、例えば使用者が意図的に第１導電部１２０に手を接触させようとしなくても、把持部１０を把持すれば、高い確率で使用者の手は第１導電部１２０に接触する。このように、イオン歯ブラシ１００では、使用者が把持部１０を把持する際に、第１導電部１２０に手が接触する可能性を高くすることができる。これにより、イオン歯ブラシ１００では、歯およびブラシ毛４１に電流が流れる可能性を高くすることができ、ブラッシング効果を向上させることができる。
【００６９】
イオン歯ブラシ１００では、第１導電部１２０は、把持部１０のブラシ毛４１が設けられた側とは反対側の外表面１２を構成している。使用者は、イオン歯ブラシ１００を使用する際に、把持部１０のブラシ毛４１が設けられた側とは反対側の外表面１２に、親指以外の４本の指を接触させて把持部１０を把持する場合が多い。そのため、例えば第１導電部が把持部のブラシ毛が設けられた側の外表面を構成している場合に比べて、第１導電部１２０に手が接触する可能性を高くすることができる。したがって、イオン歯ブラシ１００では、第１導電部１２０に手が接触する可能性を、より高くすることができる。
【００７０】
イオン歯ブラシ１００では、比（Ｌ１／Ｌ２）比は、０．７以上である。そのため、イオン歯ブラシ１００では、第１導電部１２０に手が接触する可能性を、より高くすることができる。
【００７１】
イオン歯ブラシ１００では、比（Ｌ１／Ｌ２）比は、０．８以上である。そのため、イオン歯ブラシ１００では、第１導電部１２０に手が接触する可能性を、よりいっそう高くすることができる。
【００７２】
イオン歯ブラシ１００では、第１導電部１２０の材質は、導電性樹脂である。例えば第１導電部の材質が金属である場合、使用者の手が第１導電部に接触した際に使用者は冷たさを感じ、特に使用者が子供だと第１導電部を触れたがらない場合がある。イオン歯ブラシ１００では、第１導電部１２０の材質を導電性樹脂とすることにより、使用者の手が第１導電部１２０に接触した際に、使用者が冷たさを感じることを抑制することができる。したがって、イオン歯ブラシ１００では、仮に使用者が子供であったとしても、容易に第１導電部１２０に手を接触させることができる。
【００７３】
イオン歯ブラシ１００では、第１導電部１２０の材質は、炭素が添加されたＡＢＳ樹脂である。そのため、イオン歯ブラシ１００では、第１導電部１２０の導電性を確保しつつ、第１導電部１２０を成形しやすい。
【００７４】
イオン歯ブラシ１００では、把持部１０は、支軸部３０を固定している本体部１１０を有し、本体部１１０には、凹部１１４と、凹部１１４の底面１１４ａに設けられた第１貫通孔１１５と、が設けられ、第１導電部１２０は、凹部１１４に嵌め合わされた基部１２２と、基部１２２から突出し、第１貫通孔１１５を通って設けられた突出部１２４と、を有する。そのため、イオン歯ブラシ１００では、第１導電部１２０が構成する面１２０ａと、本体部１１０が構成する面１１０ａと、の間に段差が生じることを抑制することができる。これにより、使用者は、例えば長時間、把持部１０を把持したとしても、段差によ
る痛みを感じることなく、把持部１０を把持することができる。
【００７５】
イオン歯ブラシ１００では、把持部１０に収容され、電池２３が設けられた基板２０を含み、突出部１２４は、複数設けられ、基板２０には、第２電極２３ｂと電気的に接続され、突出部１２４と接触している導電部材２２が設けられている。そのため、イオン歯ブラシ１００では、第１導電部１２０の基部１２２は、複数の突出部１２４を介して、第２電極２３ｂと電気的に接続されることができる。第１導電部１２０の材質が導電性樹脂である場合は、樹脂に添加された導電フィラー（例えば炭素）が均一に混ざらず偏りが生じる場合がある。仮に突出部が１つの場合は、導電フィラーの偏りが突出部に生じると、突出部の導電性が低下し、基部に十分に電流を流すことが困難な場合がある。イオン歯ブラシ１００では、上記のように、基部１２２は、複数の突出部１２４を介して、電池２３と電気的に接続されているため、仮に、１つの突出部１２４に導電フィラーの偏りが生じ該突出部１２４の導電性が低下したとしても、他の突出部１２４によって、基部１２２と第２電極２３ｂとを電気的に接続させることができる。したがって、イオン歯ブラシ１００では、基部１２２に十分に電流を流すことができる。
【００７６】
イオン歯ブラシ１００では、導電部材２２は、ねじであり、基板２０には、第２貫通孔２１が設けられ、突出部１２４の先端には、ねじ穴１２６が設けられ、導電部材２２は、第２貫通孔２１を通って、ねじ穴１２６に挿入されている。そのため、イオン歯ブラシ１００では、ねじによって、基板２０を把持部１０に強固に固定することができる。
【００７７】
なお、上記では、第１導電部１２０の材質が導電性樹脂である例について説明したが、第１導電部１２０の材質は、特に限定されず、例えば、金属であってもよい。ただし、上記のように、使用者の手が第１導電部１２０に接触した際に、使用者が冷たさを感じることを抑制することができる点を考慮すると、第１導電部１２０の材質は、導電性樹脂であることが好ましい。
【００７８】
また、上記では、ヘッド部４０が着脱可能に（把持部１０から分離可能に）構成されている例について説明したが、ヘッド部４０は、着脱可能に構成されておらず、把持部１０に固定されていてもよい。
【００７９】
また、上記では、本体部１１０と第１導電部１２０とをねじによって固定し、本体部１１０とカバー部１３０とを超音波溶着によって固定する例について説明したが、本体部１１０と、第１導電部１２０およびカバー部１３０と、の固定方法は、特に限定されず、例えば、接着剤による固定であってもよい。同様に、把持部１０と基板２０との固定方法についても、特に限定されない。
【００８０】
また、上記では、電池２３の−Ｙ軸方向にボタン２６が設けられ、電池２３の＋Ｙ軸方向に発光部２７が設けられた例について説明したが、電池２３、ボタン２６、および発光部２７の位置は特に限定されず、例えば、電池２３の＋Ｙ軸方向にボタン２６が設けられ、電池２３の−Ｙ軸方向に発光部２７が設けられていてもよい。また、スイッチ部１３４および光透過部１３６の位置は、ボタン２６および発光部２７に位置に応じて、適宜変更されてもよい。
【００８１】
２．  イオン歯ブラシの変形例
次に、本実施形態の変形例に係るイオン歯ブラシ２００について、図面を参照しながら説明する。図８は、本実施形態の変形例に係るイオン歯ブラシ２００を模式的に示す正面図である。図９は、本実施形態の変形例に係るイオン歯ブラシ２００を模式的に示す側面である。図１０および図１１は、本実施形態の変形例に係るイオン歯ブラシ２００を模式的に示す分解斜視図である。なお、図８〜図１１では、互いに直交する３つの軸として、
Ｘ軸、Ｙ軸、およびＺ軸を図示している。
【００８２】
以下、本実施形態の変形例に係るイオン歯ブラシ２００において、上述した本実施形態に係るイオン歯ブラシ１００の例と異なる点について説明し、同様の点については説明を省略する。
【００８３】
イオン歯ブラシ２００では、図８〜図１１に示すように、把持部１０のカバー部１３０が第２導電部２３０を有している点において、上述したイオン歯ブラシ１００と異なる。カバー部１３０は、本体部１１０の基部１２２が嵌め合わされている側とは反対側に固定されている。
【００８４】
カバー部１３０は、第２導電部２３０と、絶縁部２４０と、を有している。図８〜図１１および後述する図１３では、第２導電部２３０を細かい点を付して示している。第２導電部２３０は、カバー部１３０の外表面１３の一部を構成している。外表面１３は、例えば、カバー部１３０の外部に露出した面である。外表面１３は、第２導電部２３０からなる面２３０ａと、絶縁部２４０からなる面２４０ａと、を含んで構成されている。図８に示すように、Ｚ軸方向からみて、面２４０ａは、面２３０ａを囲んで設けられている。
【００８５】
図９に示すように、Ｘ軸方向からみて（支軸部３０の延出している方向（Ｙ軸方向）および突出部１２４の突出方向（Ｚ軸方向）と直交する方向）からみて、第２導電部２３０のＹ軸方向の長さＬ４は、カバー部１３０のＹ軸方向の長さＬ５と同じである。
【００８６】
第２導電部２３０の材質は、例えば、導電性樹脂である。具体的には、第２導電部２３０の材質は、炭素などの導電性フィラーが添加されたＡＢＳ樹脂である。第２導電部２３０の材質は、例えば、第１導電部１２０の材質と同じである。絶縁部２４０の材質は、例えば、ＡＢＳ樹脂（導電性フィラーが添加されていないＡＢＳ樹脂）である。
【００８７】
基板２０には、図１０および図１１に示すように、導電板２８が設けられている。導電板２８の一方の端部（第１端部）２８ａには、貫通孔２９が設けられている。貫通孔２９には、導電部材２２が貫通しており、導電部材２２によって導電板２８の第１端部２８ａは、基板２０に固定されている。導電板２８の他方の端部（第２端部）２８ｂは、第１端部２８ａよりもカバー部１３０側に位置し、第２導電部材と接触している。導電板２８は、電池２３の第２電極２３ｂと電気的に接続された導電部材２２と接触している。そのため、第２導電部２３０は、電池２３の第２電極２３ｂと電気的に接続されている。第２導電部２３０は、第１導電部１２０と電気的に接続されている。導電板２８の材質は、例えば、金属である。
【００８８】
第２導電部２３０は、図１１に示すように、導電板２８と接触している端子部２３２を有している。端子部２３２は、カバー部１３０の基板２０側の面（外表面１３ではない面）に設けられている。
【００８９】
ここで、図１２は、カバー部１３０を模式的に示す正面図であって、第２導電部２３０を形成する前の状態を示している。図１３は、カバー部１３０を模式的に示す図１１のＸＩＩＩ−ＸＩＩＩ線断面斜視図である。
【００９０】
カバー部１３０の絶縁部２４０には、図１２に示すように、貫通孔２４２が設けられている。図示の例では、貫通孔２４２は、２つ設けられている。例えば面２４０ａ側から貫通孔２４２に導電性樹脂を流し込むことによって、第２導電部２３０の端子部２３２を形成することができる。図１３に示すように、貫通孔２４２には、第２導電部２３０が設けられている。
【００９１】
イオン歯ブラシ２００は、例えば、以下の特徴を有する。
【００９２】
イオン歯ブラシ２００では、把持部１０は、本体部１１０の基部１２２が嵌め合わされている側とは反対側に固定されたカバー部１３０を有し、カバー部１３０は、第２電極２３ｂと電気的に接続された第２導電部２３０を有し、第２導電部２３０は、カバー部１３０の外表面１３を構成している。そのため、イオン歯ブラシ２００では、使用者が把持部１０を把持する際に、第２導電部２３０に手が接触する。これにより、イオン歯ブラシ１００では、歯およびブラシ毛４１に電流が流れる可能性を高くすることができ、ブラッシング効果を向上させることができる。
【００９３】
イオン歯ブラシ２００では、Ｘ軸方向からみて、第２導電部２３０のＹ軸方向の長さＬ４は、カバー部１３０のＹ軸方向の長さＬ５と同じである。そのため、イオン歯ブラシ２００では、第２導電部２３０に手が接触する可能性を、より高くすることができる。
【００９４】
本発明は、実施の形態で説明した構成と実質的に同一の構成（例えば、機能、方法及び結果が同一の構成、あるいは目的及び効果が同一の構成）を含む。また、本発明は、実施の形態で説明した構成の本質的でない部分を置き換えた構成を含む。また、本発明は、実施の形態で説明した構成と同一の作用効果を奏する構成又は同一の目的を達成することができる構成を含む。また、本発明は、実施の形態で説明した構成に公知技術を付加した構成を含む。
【符号の説明】
【００９５】
１０…把持部、１２，１３…外表面、２０…基板、２１…第２貫通孔、２２…導電部材、２２ａ…頭部、２３…電池、２３ａ…第１電極、２３ｂ…第２電極、２４…導電板、２５…電池カバー部、２６…ボタン、２７…発光部、２８…導電板、２８ａ…第１端部、２８ｂ…第２端部、２９…貫通孔、３０…支軸部、３２…被収容部、４０…ヘッド部、４１…ブラシ毛、４２…ブラシ部、４３…シャンク部、４４…外表面、４５…開口部、４６…支軸部挿入穴、４７…第２係合部、５０…第１係合部、１００…イオン歯ブラシ、１１０…本体部、１１０ａ…面、１１１…固定部、１１２…凹部、１１３…載置部、１１４…凹部、１１４ａ…底面、１１５…第１貫通孔、１２０…第１導電部、１２０ａ…面、１２２…基部、１２４…突出部、１２６…ねじ穴、１３０…カバー部、１３０ａ…厚肉部、１３０ｂ…薄肉部、１３２…凸部、１３４…スイッチ部、１３６…光透過部、２００…イオン歯ブラシ、２３０…第２導電部、２３０ａ…面、２３２…端子部、２４０…絶縁部、２４０ａ…面、２４２…貫通孔
【図１】
2019013405.tif 000003
【図２】
2019013405.tif 000004
【図３】
2019013405.tif 000005
【図４】
2019013405.tif 000006
【図５】
2019013405.tif 000007
【図６】
2019013405.tif 000008
【図７】
2019013405.tif 000009
【図８】
2019013405.tif 000010
【図９】
2019013405.tif 000011
【図１０】
2019013405.tif 000012
【図１１】
2019013405.tif 000013
【図１２】
2019013405.tif 000014
【図１３】
2019013405.tif 000015